(57)【要約】【課題】ファインダに対しての接眼時にタッチ位置検知部の有効活用が図れる撮像装置を提供する。【解決手段】撮像装置１は、光学ファインダ３１６と、光学ファインダ３１６の下方に設けられた背面モニタ部３３と、背面モニタ部３３の表示画面３３ｆ上で指Ｆｐによるタッチ位置を検出するタッチパネル３３２と、背面モニタ部３３の右側に設けられたグリップ部３０３とを備えている。そして、光学ファインダ３１６に対しての接眼時には、表示画面３３ｆの右半分における右端領域と下端領域とからなる屈曲領域に配置されたアイコンＢ１〜Ｂ５に対するタッチ操作に限っての処理を行う。これにより、接眼時に顔面ＦＣとタッチパネル３３２との間に生じる隙間Ｇｐに滑り込ませた指Ｆｐによるタッチ操作が可能となり、タッチパネル３３２の有効活用が図れる。【選択図】図８
2010134077.tif 000002
【特許請求の範囲】
【請求項１】
接眼タイプのファインダと、
前記ファインダの下方に設けられ、画像表示が可能な表示画面を有する表示部と、
前記表示画面上で指によるタッチ位置を検出し、当該タッチ位置に応じた処理を行う処理手段と、
前記表示部の右側に設けられ、把持に供されるグリップ部と、
を備えており、
前記表示画面の右半分には、右端領域と下端領域とからなる屈曲領域が規定されるとともに、
前記処理手段は、
前記ファインダに対しての接眼時には、前記屈曲領域で検出されるタッチ操作に限っての処理を行う限定処理手段、
を有する撮像装置。
【請求項２】
前記屈曲領域内には、前記処理の内容が異なる複数の領域が規定されており、
前記タッチパネルの周辺には、前記複数の領域それぞれの近傍において当該各領域に前記指を案内するためのガイド部が設けられている請求項１記載の撮像装置。
【請求項３】
前記ガイド部は、凹形状および／または凸形状を有して構成される請求項２記載の撮像装置。
【請求項４】
前記表示画面は、表示状態と非表示状態との切替えが可能となっており、
前記表示画面が非表示状態でも、前記屈曲領域で検出されるタッチ位置に応じた処理が行われる請求項１または請求項２に記載の撮像装置。
【請求項５】
前記屈曲領域は、縦姿勢の撮像装置において前記ファインダに対しての接眼時に前記指に係るタッチ操作が顔面によって阻害されない前記表示画面の領域である請求項１記載の撮像装置。
【請求項６】
前記表示画面は、表示状態と非表示状態との切替えが可能となっており、
前記表示画面が非表示状態の場合には、前記屈曲領域におけるタッチ位置の検出に応答して前記表示画面が表示状態に切替えられる請求項１記載の撮像装置。
【請求項７】
前記表示部と異なる別の表示部、
をさらに備えており、
前記表示画面は、表示状態と非表示状態との切替えが可能となっており、
前記表示画面が非表示状態の場合には、前記屈曲領域で検出されるタッチ位置に応じた処理に関連した表示が前記別の表示部で行われる請求項１記載の撮像装置。
【請求項８】
接眼タイプのファインダと、
前記ファインダの下方に設けられ、画像表示が可能な表示画面を有する表示部と、
前記表示画面上で指によるタッチ位置を検出し、当該タッチ位置に応じた処理を行う処理手段と、
を備えており、
前記処理手段は、
前記ファインダに対しての接眼時には、前記指に係るタッチ操作が顔面によって阻害されない前記表示画面の領域で検出されるタッチ操作に限っての処理を行う制限処理手段、
を有する撮像装置。
【発明の詳細な説明】
【技術分野】
【０００１】
本発明は、表示画面上で指によるタッチ位置を検出し、当該タッチ位置に応じた処理を行う撮像装置に関する。
【背景技術】
【０００２】
デジタルカメラ等の撮像装置(情報処理装置)においては、ユーザの入力手段としてタッチパネル(タッチ位置検出部)をモニタに備えたものが知られている。このようなタッチパネルによれば、モニタにおいて操作ボタン等を比較的大きく表すことが可能であるとともに、指先で軽くタッチするだけで入力を行えるため、操作性も良好である。
【０００３】
しかし、撮像装置の背面モニタにタッチパネルを設けると、光学ファインダを覗いた際に鼻などがタッチパネルに触れてしまい、ユーザの意図しない入力が行われるという不具合が生じる可能性がある。
【０００４】
このような不具合を改善する技術としては、例えば特許文献１に開示される撮像装置の技術がある。この撮像装置では、光学ファインダにユーザの眼が接近したことを検知する接眼検知部を設け、接眼検知部で接眼が検知された場合にタッチパネル入力を禁止することで、意図しない入力を防止している。
【０００５】
【特許文献１】特開２００１−５９９８４号公報
【発明の開示】
【発明が解決しようとする課題】
【０００６】
しかしながら、上記の特許文献１の撮像装置では、光学ファインダに対しての接眼時にタッチパネル入力が全面的に禁止されることとなるが、これではタッチパネルの有効活用が図られているとは言えない。例えば、接眼時に顔面とタッチパネルとの間に生じる隙間に滑り込ませた指によるタッチ操作を行えるようにすれば、タッチパネルの有効活用に寄与する可能性がある。
【０００７】
本発明は、上記課題に鑑みてなされたものであり、ファインダに対しての接眼時にタッチ位置検知部の有効活用が図れる撮像装置を提供することを目的とする。
【課題を解決するための手段】
【０００８】
本発明の第１の側面は、撮像装置であって、接眼タイプのファインダと、前記ファインダの下方に設けられ、画像表示が可能な表示画面を有する表示部と、前記表示画面上で指によるタッチ位置を検出し、当該タッチ位置に応じた処理を行う処理手段と、前記表示部の右側に設けられ、把持に供されるグリップ部とを備えており、前記表示画面の右半分には、右端領域と下端領域とからなる屈曲領域が規定されるとともに、前記処理手段は、前記ファインダに対しての接眼時には、前記屈曲領域で検出されるタッチ操作に限っての処理を行う限定処理手段を有する。
【０００９】
また、本発明の第２の側面は、撮像装置であって、接眼タイプのファインダと、前記ファインダの下方に設けられ、画像表示が可能な表示画面を有する表示部と、前記表示画面上で指によるタッチ位置を検出し、当該タッチ位置に応じた処理を行う処理手段とを備えており、前記処理手段は、前記ファインダに対しての接眼時には、前記指に係るタッチ操作が顔面によって阻害されない前記表示画面の領域で検出されるタッチ操作に限っての処理を行う制限処理手段を有する。
【発明の効果】
【００１０】
本発明によれば、ファインダの下方に設けられた表示部の表示画面の右半分には右端領域と下端領域とからなる屈曲領域が規定されるとともに、ファインダに対しての接眼時には屈曲領域で検出されるタッチ操作に限っての処理を行う。その結果、ファインダに対しての接眼時にタッチ位置検知部の有効活用が図れる。
【００１１】
また、本発明によれば、表示画面を有する表示部がファインダの下方に設けられるとともに、ファインダに対しての接眼時には指に係るタッチ操作が顔面によって阻害されない表示画面の領域で検出されるタッチ操作に限っての処理を行う。その結果、ファインダに対しての接眼時にタッチ位置検知部の有効活用が図れる。
【発明を実施するための最良の形態】
【００１２】
＜実施形態＞
［撮像装置の要部構成］
図１〜図３は、本発明の実施形態に係る撮像装置１の外観構成を示す図である。図１および図２は、縦位置コントロールグリップ７を装着した撮像装置１の正面外観図および背面外観図であり、図３は、撮像装置１の上面外観図である。この撮像装置１は、例えば一眼レフレックスタイプのデジタルスチルカメラとして構成されており、カメラボディ１０と、カメラボディ１０に着脱自在な撮影レンズとしての交換レンズ２とを備えている。
【００１３】
図１において、カメラボディ１０の正面側には、正面略中央に交換レンズ２が装着されるマウント部３０１と、マウント部３０１の右横に配置されたレンズ交換ボタン３０２と、ユーザの把持に供されるグリップ部３０３と、正面右上部に配置されたモード設定ダイアル３０６と、グリップ部３０３の上面に配置されたシャッターボタン３０７および操作ダイヤル９２とが設けられている。
【００１４】
また、図２において、カメラボディ１０の背面側には、背面モニタ部３３と、背面モニタ部３３の右方に配置された十字キー３１４と、十字キー３１４の中央に配置されたプッシュボタン３１５とが備えられている。また、カメラボディ１０の背面側には、背面モニタ部３３の上方に配設された光学ファインダ３１６と、光学ファインダ３１６の周囲を囲むアイカップ３２１と、光学ファインダ３１６の左方に配設されたメインスイッチ３１７と、光学ファインダ３１６の右方に配設された露出補正ボタン３２３およびモニタ操作ボタン３２４と、光学ファインダ３１６の上方に配設されたフラッシュ部３１８および接続端子部３１９とが備えられている。
【００１５】
マウント部３０１には、装着された交換レンズ２との電気的接続を行うためコネクタＥｃ(図５参照)や、機械的接続を行うためのカプラ７５(図５参照)が設けられている。
【００１６】
レンズ交換ボタン３０２は、マウント部３０１に装着された交換レンズ２を取り外す際に押下されるボタンである。
【００１７】
グリップ部３０３は、ユーザが撮影時に撮像装置１を把持する部位として背面モニタ部３３の右側方向に設けられており、フィッティング性を高めるために指形状に合わせた表面凹凸が形成されている。なお、グリップ部３０３の内部には電池収納室およびカード収納室(不図示)が設けられている。電池収納室にはカメラの電源として電池６９Ｂ(図５参照)が収納されており、カード収納室には撮影画像の画像データを記録するためのメモリカード６７(図５参照)が着脱可能に収納されるようになっている。なお、グリップ部３０３には、当該グリップ部３０３をユーザが把持したか否かを検出するためのグリップセンサを設けるようにしても良い。
【００１８】
モード設定ダイアル３０６は、自動露出（ＡＥ）制御モードや手動露出（Ｍ）制御モード、或いは撮影シーンに応じた各種撮影モード等を択一的に選択するためのものである。
【００１９】
シャッターボタン３０７は、途中まで押し込んだ「半押し状態」の操作と、さらに押し込んだ「全押し状態」の操作とが可能とされた押下スイッチである。シャッターボタン３０７が半押しされると、被写体を撮影するための準備動作（露出制御値の設定や焦点調整等の準備動作）が実行される。そして、シャッターボタン３０７が全押しされると、撮影動作（撮像素子１０１(図５参照)を露光し、その露光によって得られた画像信号に所定の画像処理を施してメモリカード等に記録する一連の動作）が実行される。
【００２０】
操作ダイヤル９２は、回転式の操作部材であり、その回転操作に応じて各種の設定内容を変更することが可能である。すなわち、操作ダイヤル９２を操作することによれば、各種撮影モードにおける制御値を設定できる。
【００２１】
背面モニタ部３３は、光学ファインダ３１６の下方に設けられ、カラーの画像表示が可能な表示画面３３ｆとして働くＬＣＤ（Liquid Crystal Display）３３１を備えている。この背面モニタ３３は、本撮影において撮像素子１０１(図５参照)により撮像された画像の表示や記録済みの画像の再生表示等を行うとともに、撮像装置１に搭載される機能やモードの設定画面を表示するものである。なお、背面モニタ部３３は、ミラー部１０３(図５参照)をミラーアップ状態とすることで、本撮影前に撮像素子１０１(図５)で連続して撮像される被写体の画像をライブビュー画像(プレビュー画像)として表示することが可能である。また、背面モニタ部３３の外周には、「ロ」字状の形状を有したフレーム部３３０が設けられている。
【００２２】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、オートフォーカス駆動や、フォーカス検出位置の上下左右斜め方向変更、背面モニタ部３３等に再生する記録画像のコマ送り、及び撮影条件（ＩＳＯ感度、ＷＢ、フラッシュ発光の有無等）の設定等の指示を行うためのものである。
【００２３】
光学ファインダ３１６は、カメラ本体部１０の背面に設けられた接眼タイプのファインダとして構成されており、被写体が撮影される範囲を光学的に表示するものである。すなわち、光学ファインダ３１６は、交換レンズ２から導かれた被写体像を映し、これをユーザが視認することにより、実際に撮像素子１０１にて撮影される被写体を把握することができる。なお、光学ファインダ３１６の下部には、撮像装置１内に配設された液晶表示パネル(不図示)を用いて図４に示すようにシャッターボタン３０７の半押し時などにシャッタースピードの表示Ｄａや絞り値の表示Ｄｂ等の撮影情報の表示を行うインファインダ情報表示部(以下では「情報表示部」とも略称する)３１６ｐが設けられている。
【００２４】
光学ファインダ３１６の直下には、赤外光を発する発光素子１５１と受光素子１５２とを備えた接眼検知部１５が配設されている。この接眼検知部１５では、例えばＬＥＤとして構成される発光素子１５１から発せられた赤外光をユーザの眼で反射させ、その反射光を受光素子１５２で検出することにより、ユーザの眼が光学ファインダ３１６に接近していることの検知(接眼検知)を行う。
【００２５】
図２においてメインスイッチ３１７は、左右にスライドする２接点のスライドスイッチからなり、右にセットすると撮像装置１の電源がオンされ、左にセットすると電源がオフされる。
【００２６】
フラッシュ部３１８は、ポップアップ式の内蔵フラッシュとして構成されている。一方、外部フラッシュ等をカメラボディ１０に取り付ける場合には、接続端子部３１９を使用して接続する。
【００２７】
アイカップ３２１は、遮光性を有して光学ファインダ３１６への外光の侵入を抑制する「コ」字状の遮光部材である。
【００２８】
露出補正ボタン３２３は、露出値（絞り値やシャッタースピード）を手動で調整するためのボタンであり、モニタ操作ボタン３２４は、背面モニタ部３３の表示形式（詳細表示、拡大表示など）を手動で切換えたり、点灯・消灯させるためのボタンである。すなわち、モニタ操作ボタン３２４により、背面モニタ部３３の表示画面３３ｆにおいて点灯状態(表示状態)と消灯状態(非表示状態)との切替えが可能となる。
【００２９】
また、図３に示すように、カメラボディ１０の上面には、背面モニタ部３３と異なる別の表示部として現在の各種設定内容を表示する上面表示パネル９１が設けられている。
【００３０】
交換レンズ２は、被写体からの光（光像）を取り込むレンズ窓として機能するとともに、当該被写体光をカメラボディ１０の内部に配置されている撮像素子１０１に導くための撮影光学系として機能するものである。この交換レンズ２は、上述のレンズ交換ボタン３０２を押下操作することで、カメラボディ１０から取り外すことが可能となっている。
【００３１】
交換レンズ２は、その光軸に沿って直列的に配置された複数のレンズからなるレンズ群２１を備えている(図５参照)。このレンズ群２１には、焦点の調節を行うためのフォーカスレンズ２１１(図５参照)と、変倍を行うためのズームレンズ２１２(図５参照)とが含まれており、それぞれ交換レンズ２の光軸方向に駆動されることで、変倍や焦点調節が行われる。また、交換レンズ２には、その鏡胴の外周適所に該鏡胴の外周面に沿って回転可能な操作環が備えられており、上記のズームレンズ２１２は、マニュアル操作或いはオート操作により、上記操作環の回転方向及び回転量に応じて光軸方向に移動し、その移動先の位置に応じたズーム倍率(撮影倍率)に設定されるようになっている。
【００３２】
縦位置コントロールグリップ７は、撮像装置１を縦位置(縦姿勢)で使用する際にユーザによって把持されるグリップ部７０と、ロックスイッチ７１とを備えている。
【００３３】
グリップ部７０の近くには、シャッターボタン３０７と同様の構成を有するシャッターボタン７２と、操作ダイヤル９２と同様の構成を有する操作ダイヤル７３とが設けられている。シャッターボタン７２は、撮像装置１の縦姿勢において、シャッターボタン３０７と同様の操作感で撮影開始指示等を入力することが可能である。
【００３４】
ロックスイッチ７１は、レバー式スイッチとして構成され、ロックスイッチ７１のレバー部を左方または右方に傾けることで縦位置コントロールグリップ７に関する操作のオン・オフが切替えられる。
【００３５】
［撮像装置１の電気的構成］
図５は、撮像装置１の電気的な構成を示すブロック図である。ここで、図１〜図３と同一の部材等については、同一の符号を付している。なお、交換レンズ２についてはレンズ内にオートフォーカス用の駆動部を設けたものと、カメラ本体からオートフォーカス駆動を行うものがある。ここでは、説明の便宜上、交換レンズ２は前者のタイプとし、その電気的構成について先ず説明する。
【００３６】
交換レンズ２は、上述した撮影光学系を構成するレンズ群２１に加え、レンズ駆動機構２４と、レンズ位置検出部２５と、レンズ制御部２６と、絞り駆動機構２７とを備えている。
【００３７】
レンズ群２１では、フォーカスレンズ２１１及びズームレンズ２１２と、カメラボディ１０に備えられた撮像素子１０１へ入射される光量を調節するための絞り２３とが、鏡胴内において交換レンズ２の光軸方向に保持されており、被写体の光像を取り込んで撮像素子１０１に結像させる。ＡＦ制御では、フォーカスレンズ２１１が交換レンズ２内のＡＦアクチュエータ７１Ｍにより光軸方向に駆動されることで焦点調節が行われる。
【００３８】
フォーカス駆動制御部７１Ａは、レンズ制御部２６を介してメイン制御部６２から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、レンズ駆動機構２４にレンズ駆動力を与える。
【００３９】
レンズ駆動機構２４は、例えばヘリコイド及び該ヘリコイドを回転させる図示省略のギア等で構成され、ＡＦアクチュエータ７１Ｍからの駆動力を受けて、フォーカスレンズ２１１等を光軸と平行な方向に駆動させるものである。なお、フォーカスレンズ２１１の移動方向及び移動量は、それぞれＡＦアクチュエータ７１Ｍの回転方向及び回転数に従う。
【００４０】
レンズ位置検出部２５は、レンズ群２１の移動範囲内において光軸方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２５で検出されたレンズ位置は、例えばパルス数として出力される。
【００４１】
レンズ制御部２６は、例えば制御プログラム等を記憶するＲＯＭや状態情報に関するデータを記憶するフラッシュメモリ等のメモリが内蔵されたマイクロコンピュータからなっている。
【００４２】
また、レンズ制御部２６は、コネクタＥｃを介してカメラボディ１０のメイン制御部６２との間で通信を行う通信機能を有している。これにより、例えばレンズ群２１の焦点距離、射出瞳位置、絞り値、合焦距離及び周辺光量状態等の状態情報データや、レンズ位置検出部２５で検出されるフォーカスレンズ２１１の位置情報をメイン制御部６２に送信できるとともに、メイン制御部６２から例えばフォーカスレンズ２１１の駆動量のデータを受信できる。
【００４３】
絞り駆動機構２７は、カプラ７５を介して絞り駆動アクチュエータ７６Ｍからの駆動力を受けて、絞り２３の絞り径を変更するものである。
【００４４】
続いて、カメラボディ１０の電気的構成について説明する。カメラボディ１０には、撮像素子１０１、シャッタユニット４０、ＡＦＥ（アナログフロントエンド）５、画像処理部６１、画像メモリ６１４、メイン制御部６２、フラッシュ回路６３、操作部６４、ＶＲＡＭ６５、カード・インターフェース（Ｉ／Ｆ）６６、メモリカード６７、通信用インターフェース（Ｉ／Ｆ）６８、電源回路６９、電池６９Ｂ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７６Ａ及び絞り駆動アクチュエータ７６Ｍを備えて構成されている。
【００４５】
撮像素子１０１は、カメラボディ１０に交換レンズ２が装着された場合の当該交換レンズ２が備えているレンズ群２１の光軸上において、光軸に対して垂直となる方向に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って受光された被写体光束に関するＲ（赤）、Ｇ（緑）、Ｂ（青）各色成分のアナログの電気信号（画像信号）を生成し、Ｒ、Ｇ、Ｂ各色の画像信号として出力する。
【００４６】
撮像素子１０１は、後述のタイミング制御回路５１により、当該撮像素子１０１の露光動作の開始（及び終了）や、撮像素子１０１が備える各画素の出力選択、画素信号の読出し等の撮像動作が制御される。
【００４７】
撮像素子１０１の光軸方向前方には、シャッタユニット４０が配置されている。このシャッタユニット４０は、上下方向に移動する幕体を備え、その開動作および閉動作により交換レンズ２の光軸に沿って撮像素子１０１に導かれる被写体光の光路開口動作および光路遮断動作を行うメカニカルフォーカルプレーンシャッタとして構成されている。なお、シャッタユニット４０は、撮像素子１０１が完全電子シャッター可能な撮像素子である場合には省略可能である。
【００４８】
ＡＦＥ５は、撮像素子１０１に対して所定の動作を行わせるタイミングパルスを与えると共に、撮像素子１０１から出力される画像信号（ＣＭＯＳエリアセンサの各画素で受光されたアナログ信号群）に所定の信号処理を施し、デジタル信号に変換して画像処理部６１に出力するものである。このＡＦＥ５は、タイミング制御回路５１、信号処理部５２及びＡ／Ｄ変換部５３などを備えて構成されている。
【００４９】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００５０】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路及びクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００５１】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００５２】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００５３】
ホワイトバランス補正回路６１２は、光源に応じた白の基準に基づいて、Ｒ(赤)、Ｇ(緑)、Ｂ(青)の各色成分のデジタル信号のレベル変換（ホワイトバランス(ＷＢ)調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれを色成分の平均と、Ｇ／Ｒ比及びＧ／Ｂ比とを求め、これをＲ、Ｂの補正ゲインとしてレベル補正する。
【００５４】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換するとともにオフセット調整を行う。
【００５５】
画像メモリ６１４は、撮影モード時において、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００５６】
メイン制御部６２は、例えば制御プログラムを記憶するＲＯＭや一時的にデータを記憶するＲＡＭ等の記憶部が内蔵されたマイクロコンピュータからなり、撮像装置１各部の動作を制御するものである。
【００５７】
また、メイン制御部６２は、背面モニタ部３３の表示画面３３ｆにおいて指Ｆｐによるタッチ位置をタッチパネル３３２を用いて検出し、このタッチ位置に応じた処理を行う処理手段として機能する。
【００５８】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００５９】
操作部６４は、上述のモード設定ダイアル３０６、シャッターボタン３０７、十字キー３１４、プッシュボタン３１５、メインスイッチ３１７等を含み、操作情報をメイン制御部６２に入力するためのものである。
【００６０】
背面モニタ部３３は、上述したＬＣＤ３３１と、このＬＣＤ３３１上に配置される透明なタッチパネル３３２とを備えている。
【００６１】
ＬＣＤ３３１は、モニタ操作ボタン３２４の操作などによって電源のオン・オフを切替えることで、表示(点灯)または非表示(消灯)を切替えることができる。
【００６２】
タッチパネル３３２は、背面モニタ部１２の表示画面３３ｆ上においてユーザがタッチしたタッチ位置を検知するタッチ位置検知部として機能し、ユーザの操作入力を受け付けることが可能である。
【００６３】
このような構成の背面モニタ部３３では、接眼検知部１５においてユーザの接眼が検知されると、表示画面３３ｆの眩しさ防止と省電力のため背面モニタ部３３の表示が消灯される。ただし、タッチパネル３３２については、後述のように一部のタッチボタン(図６のアイコンＢ１〜Ｂ５)をアクティブ(オン状態)にしたまま他のタッチボタン(図６の追尾用ＡＦフレームＢｐ)がオフ状態とされる。
【００６４】
ＶＲＡＭ６５は、ＬＣＤ３３１の画素数に対応した画像信号の記憶容量を有し、メイン制御部６２とＬＣＤ３３１との間のバッファメモリである。カードＩ／Ｆ６６は、メモリカード６７とメイン制御部６２との間で信号の送受信を可能とするためのインターフェースである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェースである。
【００６５】
電源回路６９は、例えば定電圧回路等からなり、メイン制御部６２等の制御部、撮像素子１０１、その他の各種駆動部等、撮像装置１全体を駆動させるための電圧を生成する。なお、撮像素子１０１への通電制御は、メイン制御部６２から電源回路６９に与えられる制御信号により行われる。電池６９Ｂは、ニッケル水素充電池等の二次電池や、アルカリ乾電池等の一次電池からなり、撮像装置１全体に電力を供給する電源である。
【００６６】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００６７】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動を行うアクチュエータである。
【００６８】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００６９】
[背面モニタ部３３の要部構成]
撮像装置１は、上述のように光学ファインダ３１６の下に設けられた接眼検知部１５を備え、この接眼検知部１５で光学ファインダ３１６に対してのユーザの接眼を検知すると表示画面３３ｆの眩しさ防止と省電力のため背面モニタ部３３が消灯される。この消灯の際には、ＬＣＤ３３１が非表示状態とされるものの、タッチパネル３３２全面を不能化せず一部の領域をアクティブ状態のまま維持するようになっている。この維持されるタッチパネル３３２の領域について、以下で詳しく説明する。
【００７０】
図６は、撮像装置１におけるタッチパネル３３２の動作を説明する図である。ここで、図６(ａ)は、接眼検知部１５での接眼が検知されず背面モニタ部３３が点灯している状態を示しており、図６(ｂ)は、接眼が検知されて背面モニタ部３３が消灯している状態を示している。
【００７１】
図６(ａ)に示すように、接眼が検知されない場合にはタッチパネル３３２上に配置された複数のボタンからなるボタン群ＢＧがＬＣＤ３３１に表示される。このボタン群ＢＧは、例えばライブビュー画像において追尾する合焦対象の人物(の顔)などを指定するための４つの追尾用ＡＦフレーム(ボタン)Ｂｐを備えている。また、ボタン群ＢＧは、タッチパネル３３２の右側部分から下側部分にかけて連なったＬ字状の領域(以下では「Ｌ字状領域」とも称する)Ｅｔに配置される５つのアイコン(ボタン)Ｂ１〜Ｂ５を備えている。すなわち、表示画面３３ｆの右半分、つまり表示画面３３ｆの中心線３３ｃより右側の領域には、右端領域(例えば表示画面３３ｆに対して右端から１／６程度の領域)と下端領域(例えば表示画面３３ｆに対して下端から１／３程度の領域)とからなる屈曲領域としてのＬ字状領域Ｅｔが規定されている。そして、このＬ字状領域Ｅｔ内に、タッチ操作時の処理内容が異なる５つの円形領域として構成されたアイコンＢ１〜Ｂ５が配置されている。
【００７２】
５つのアイコンＢ１〜Ｂ５は、例えばＩＳＯ感度設定モード、ホワイトバランス(ＷＢ)設定モード、連写や単写などを設定するドライブモード、露出補正モードおよび、フラッシュ部３１８に係る発光の有無を設定するモードに移行させる各アイコンで構成されている。
【００７３】
これらのアイコンＢ１〜Ｂ５は、上述のようにタッチパネル３３２におけるＬ字状の領域Ｅｔ内に配置されているが、これは次の理由による。
【００７４】
図７および図８は、タッチパネル３３２においてアイコンＢ１〜Ｂ５をＬ字状領域Ｅｔ内に配置する理由を説明するための図である。ここで、図７および図８は、ユーザが横姿勢(標準姿勢)で把持した撮像装置１の光学ファインダ３１６に右目Ｅｙを接眼させる際の上面図および背面図を示している。なお、ユーザの頭部ＨＡや右手ＨＤは、破線で示している。
【００７５】
図７に示すように右目Ｅｙを光学ファインダ３１６に接眼させた際には、鼻Ｎｓが背面モニタ部３３に接近してタッチパネル３３２に接触する可能性がある。一方、顔面ＦＣの頬と背面モニタ部３３との間には隙間Ｇｐが形成され、この隙間Ｇｐに親指Ｆｐを潜り込ませることができる。
【００７６】
よって、撮像装置１においては、光学ファインダ３１６の接眼検知部１５でユーザの接眼を検知した場合、タッチパネル３３２において鼻Ｎｓがタッチする恐れのある領域（上述したＬ字状領域Ｅｔ以外の領域）内に配置された追尾用ＡＦフレームＢｐ(図６)に対してのタッチ操作を不許可状態に移行する。一方、顔面ＦＣと背面モニタ部３３との隙間Ｇｐで親指Ｆｐの先が到達できるタッチパネル３１６上の領域であって顔面ＦＣにより親指Ｆｐのタッチ操作が阻害されない領域であるＬ字状領域Ｅｔ(図６)内のアイコンＢ１〜Ｂ５に対してのタッチ操作を許可状態のまま維持することとする。すなわち、光学ファインダ３１６に対しての接眼時には、背面モニタ部３３の表示画面３３ｆが非表示状態とされるが、親指Ｆｐに係るタッチ操作が顔面ＦＣによって阻害されない表示画面３３ｆの領域に相当したタッチパネル３３２のＬ字状領域Ｅｔで検出されるタッチ操作に限っての処理が撮像装置１で行われる。
【００７７】
また、光学ファインダ３１６を覗いて接眼検知部１５で接眼が検知された場合には、ユーザが背面モニタ部３３を直接視認できなくなるため、背面モニタ部３３が消灯される。これにより、図６(ｂ)に示すように操作許可状態のアイコンＢ１〜Ｂ５が表示されなくなり、アイコンＢ１〜Ｂ５に対するタッチ操作を行いたい場合には手探りでの操作となる。これでは、アイコンＢ１〜Ｂ５に対するタッチ操作において誤操作が生じる可能性が高いため、本実施形態の撮像装置１ではアイコンＢ１〜Ｂ５に対してのブラインドタッチの操作を可能とするようにフレーム部３３０にガイド部ＣＶを設けることとする。これにより、ユーザが指先から手前の親指Ｆｐの部分でガイド部ＣＶに触れることで、消灯された表示画面３３ｆにおいてもアイコンＢ１〜Ｂ５の位置把握が可能となる。
【００７８】
すなわち、タッチパネル３３２におけるＬ字状領域Ｅｔ近傍のフレーム部３３０にＬ字状領域Ｅｆを規定し、このＬ字状領域Ｅｆ内で各アイコンＢ１〜Ｂ５に近接する箇所に、凹形状および／または凸形状を有して構成される６つのガイド部ＣＶ(ＣＶａ〜ＣＶｆ)を形成する。換言すれば、タッチパネル３３２周辺のフレーム部３３０には、アイコンＢ１〜Ｂ５それぞれの近傍において当該各アイコンＢ１〜Ｂ５にユーザの指を案内するためのガイド部ＣＶが設けられることとなる。例えばガイド部ＣＶの縦断面図を示す図９(ａ)〜(ｆ)のように互いに凹凸形状が異なる各ガイド部ＣＶａ〜ＣＶｆが、フレーム部３３０に設けられる。これにより、右手ＨＤの親指Ｆｐによって各ガイド部ＣＶａ〜ＣＶｆの判別が可能となり、ユーザが所望する各アイコンＢ１〜Ｂ５に対してスムーズなブラインドタッチの操作が可能となる。
【００７９】
このようなガイド部ＣＶにより、接眼検知部１５で接眼を検知して背面モニタ部３３が消灯された場合でも、例えば図１０〜１１のように右手ＨＤで把持された横姿勢の撮像装置１において親指Ｆｐでガイド部ＣＶａ、ＣＶｄを判別して、アイコンＢ１やアイコンＢ４を適切にタッチ操作できる。同様に、例えば図１２のように縦位置コントロールグリップ７を装着した縦姿勢の撮像装置１において背面モニタ部３３が消灯される場合でも、縦位置コントロールグリップ７を把持した右手ＨＤの親指Ｆｐでガイド部ＣＶｅを判別して、アイコンＢ４を適切に操作できることとなる。このような縦姿勢の撮像装置１における光学ファインダ３１６に対しての接眼時でも、タッチパネル３３２のＬ字状領域Ｅｔは、ユーザの親指Ｆｐに係るタッチ操作が顔面ＦＣによって阻害されない表示画面３３ｆの領域として構成されている。
【００８０】
そして、接眼検知部１５での接眼検知時に例えばＩＳＯ感度設定モードが割付けられたアイコンＢ１に対するユーザ操作が行われると、光学ファインダ３１６の情報表示部３１６ｐにおいて、図１３に示すＩＳＯ感度の表示Ｄｃのように現在設定されているＩＳＯ感度の設定値「４００」が表示される。なお、このＩＳＯ感度の設定値を変更するには、操作ダイアル９２、７３や十字キー３１４を操作することで行える。ここで、例えばアイコンＢ１からアイコンＢ２に指先をスライドさせると、情報表示部３１６ｐでアイコンＢ２に割付けられた項目(ＷＢ設定モード)の設定状態の表示に切り替えられることとなる。
【００８１】
また、本実施形態の撮像装置１では、モニタ操作ボタン３２４への操作によって背面モニタ部３３を消灯できるが、この際にもタッチパネル３３２のＬ字状領域Ｅｔ内におけるアイコンＢ１〜Ｂ５についての操作許可状態に維持するようにする。すなわち、背面モニタ部３３の表示画面３３ｆが非表示状態でも、タッチパネル３３２のＬ字状領域Ｅｔで検出されるタッチ位置、つまりアイコンＢ１〜Ｂ５に応じた処理が撮像装置１で行われる。この場合にも、上述のようにフレーム部３３０のガイド部ＣＶを頼りに所望のアイコンＢ１〜Ｂ５に対するタッチ操作が可能であり、そのアイコンに割付けられた項目における現在の設定値などが上面表示パネル９１に表示される。すなわち、表示画面３３ｆが非表示状態の場合には、タッチパネル３３２のＬ字状領域Ｅｔで検出されるタッチ位置に応じた処理に関連した表示が上面表示パネル９１で行われる。これにより、ユーザが光学ファインダ３１６を覗かず背面モニタ部３３を消灯しながら撮影動作を行う夜景撮影や舞台撮影などにおいても、ガイド部ＣＶによってアイコンＢ１〜Ｂ５に対するスムーズなユーザ操作が可能となり、その操作確認が上面表示パネル９１で行える。
【００８２】
以上のような撮像装置１の構成および動作により、タッチパネル３３２に設定されたアイコンＢ１〜Ｂ５がＬ字状領域Ｅｔ(図６)に配置されるため、光学ファインダ３１６に対しての接眼時に顔面ＦＣとタッチパネル３３２との間に生じる隙間Ｇｐに滑り込ませた指ＦｐによるアイコンＢ１〜Ｂ５のタッチ操作が可能となり、接眼時にタッチパネル３３２の有効活用が図れる。
【００８３】
なお、撮像装置１の接眼ファインダについては、その下部に情報表示部３１６ｐが設けられた光学ファインダ３１６(図４)を採用するのは必須でなく、図１４に示す光学ファインダ３１６Ａや図１５に示す電子ビューファインダ３１６Ｂを採用しても良い。これらのファインダにおけるアイコンＢ１〜Ｂ５に対してのタッチ操作に応答した表示動作を以下で説明する。
【００８４】
図１４は、アイコンＢ１〜Ｂ５に対するタッチ操作に応答した光学ファインダ３１６Ａの表示動作を説明するための図である。
【００８５】
光学ファインダ３１６Ａは、ファインダ光路中に設けられた液晶表示パネル(不図示)により被写体像が映る領域を含んだ全面に情報表示が可能な情報表示部３１６ｑを備えている。なお、光学ファインダ３１６Ａにおける上記の液晶表示パネルでは、後述の電子ビューファインダ３１６Ｂのような画像表示能力を有していない。
【００８６】
このような光学ファインダ３１６Ａでは、接眼検知部１５での接眼検知時にタッチパネル３３２のアイコンＢ１〜Ｂ５に対してタッチ操作が行われると、上述した光学ファインダ３１６と同様に光学ファインダ３１６Ａの情報表示部３１６ｑでの表示切替えが行われる。例えばＩＳＯ感度設定モードが割付けられたアイコンＢ１に対してのタッチ操作が行われると、情報表示部３１６ｑで、接眼検知前におけるシャッタースピードの表示Ｄａや絞り値の表示Ｄｂ(図１４(ａ))から、図１４(ｂ)に示すＩＳＯ感度の表示Ｄｃに表示が切替えられる。さらに、光学ファインダ３１６Ａでは、情報表示部３１６ｑにおいて接眼検知前には非表示状態としていたアイコンＢ１〜Ｂ５(図１４(ａ))を、接眼検知に応答して図１４(ｂ)に示すように表示させる。これにより、接眼時でもタッチパネル３３２のアイコンＢ１〜Ｂ５が有効であることをユーザに伝えることができる。なお、情報表示部３１６ｑにおいては、接眼検知に応答して５つのアイコンＢ１〜Ｂ５全てを表示させるのは必須でなく、ユーザによって操作された１つのアイコンのみを表示させるようにしても良い。
【００８７】
図１５は、アイコンＢ１〜Ｂ５に対するタッチ操作に応答した電子ビューファインダ３１６Ｂの表示動作を説明するための図である。
【００８８】
電子ビューファインダ３１６Ｂは、例えば撮像素子１０１で取得された被写体画像を液晶表示パネルに表示することで被写体像をユーザに視認させるファインダとして構成されている。
【００８９】
このような電子ビューファインダ３１６Ｂでは、接眼検知部１５での接眼検知時にタッチパネル３３２のアイコンＢ１〜Ｂ５に対してタッチ操作が行われると、上記の光学ファインダ３１６Ａと同様に、電子ビューファインダ３１６Ｂでの表示切替えが行われる。例えばＩＳＯ感度設定モードが割付けられたアイコンＢ１に対してのタッチ操作が行われると、電子ビューファインダ３１６Ｂで、接眼検知前におけるシャッタースピードの表示Ｄａ、絞り値の表示ＤｂおよびＩＳＯ感度の表示(現在設定されている「１００」の表示)Ｄｃ１((図１５(ａ))から、図１４(ｂ)に示すＩＳＯ感度の表示（設定変更された「４００」の表示）Ｄｃ２のみに表示が切替えられる。なお、このＩＳＯ感度の表示Ｄｃ２では、接眼検知前の表示Ｄｃ１に対して表示色を変更するようにしても良い。そして、電子ビューファインダ３１６Ｂでは、上記の光学ファインダ３１６Ａと同様に、接眼検知前には非表示状態としていたアイコンＢ１〜Ｂ５(図１５(ａ))を、接眼検知に応答して図１５(ｂ)に示すように表示させる。
【００９０】
以上のような光学ファインダ３１６Ａや電子ビューファインダ３１６Ｂにおいても、上述した光学ファインダ３１６と同様に、ユーザによってタッチ操作が行われたアイコンＢ１〜Ｂ５についての操作確認が可能となる。
【００９１】
また、図１６に示すように撮像装置１に例えばビデオケーブルやＨＤＭＩケーブルなどのケーブルＷｅを介して外部モニタ９０が通信可能に接続し、撮像装置１で撮影された画像の再生等が外部モニタ９０で可能な場合にも、ガイド部ＣＶによってアイコンＢ１〜Ｂ５に対する適切なユーザ操作を行えることとなる。具体的には、外部モニタ９０が撮像装置１に接続されると省電力のため背面モニタ部３３が消灯されるが、図１６のように外部モニタ９０の表示画面９０ｆにタッチパネル３３２のアイコンＢ１〜Ｂ５を表示する。そして、アイコンＢ１〜Ｂ５に対するブラインドタッチの操作確認として外部モニタ９０に例えばＩＳＯ感度の表示Ｄｃ２を行うことで、アイコンＢ１〜Ｂ５に対してスムーズなユーザ操作が可能となる。
【００９２】
＜変形例＞
・上記の実施形態における各ガイド部については、図９(ａ)〜(ｆ)のように形状を変化させて区別するのは必須でなく、ザラツキ具合いなどの表面状態を変化させて区別するようにしても良い。
【００９３】
・上記の実施形態における撮像装置については、上面表示パネル９１を備えた構成であるのは必須でなく、上面表示パネルを備えない構成でも良い。この場合には、例えばモニタ操作ボタン３２４による背面モニタ部３３の消灯中にアイコンＢ１〜Ｂ５に対してのタッチ操作がタッチパネル３３２で検出されると、背面モニタ部３３を点灯させて、操作されたアイコンに関する設定状態を表示させるようにする。すなわち、背面モニタ部３３の表示画面３３ｆが非表示状態の場合には、タッチパネル３３２のＬ字状領域Ｅｔにおけるタッチ位置、つまりアイコンＢ１〜Ｂ５の検出に応答して、表示画面３３ｆを表示状態に切替える。これにより、上面表示パネルを備えない場合でも、アイコンＢ１〜Ｂ５に対しての操作確認が可能となる。
【００９４】
・上記の実施形態においては、デジタルカメラとして構成されるのは必須でなく、銀塩カメラ(フィルムカメラ)として構成されても良い。
【００９５】
・上記の実施形態においては、タッチパネルを用いてタッチ位置の検出を行うのは必須でなく、例えば表示画面上に格子状に張り巡らされる赤外線などの光線や、表示画面上を走査する光線が遮られた箇所を検知することによりタッチ位置を光学的に検出しても良い。
【図面の簡単な説明】
【００９６】
【図１】本発明の実施形態に係る撮像装置１の外観構成を示す図である。
【図２】撮像装置１の外観構成を示す図である。
【図３】撮像装置１の外観構成を示す図である。
【図４】光学ファインダ３１６における情報表示部３１６ｐを説明するための図である。
【図５】撮像装置１の電気的な構成を示すブロック図である。
【図６】背面モニタ部３３の構成および動作を説明するための図である。
【図７】タッチパネル３３２においてアイコンＢ１〜Ｂ５をＬ字状領域Ｅｔ内に配置する理由を説明するための図である。
【図８】タッチパネル３３２においてアイコンＢ１〜Ｂ５をＬ字状領域Ｅｔ内に配置する理由を説明するための図である。
【図９】ガイド部ＣＶの形状を説明するための図である。
【図１０】横姿勢の撮像装置１においてアイコンＢ１を操作する様子を示す図である。
【図１１】横姿勢の撮像装置１においてアイコンＢ４を操作する様子を示す図である。
【図１２】縦姿勢の撮像装置１においてアイコンＢ４を操作する様子を示す図である。
【図１３】アイコンＢ１〜Ｂ５に対するタッチ操作に応答した光学ファインダ３１６の表示動作を説明するための図である。
【図１４】アイコンＢ１〜Ｂ５に対するタッチ操作に応答した液晶表示パネルを有した光学ファインダ３１６Ａの表示動作を説明するための図である。
【図１５】アイコンＢ１〜Ｂ５に対するタッチ操作に応答した電子ビューファインダ３１６Ｂの表示動作を説明するための図である。
【図１６】撮像装置１のアイコンＢ１〜Ｂ５に対するタッチ操作に応答した外部モニタ９０での表示動作を説明するための図である。
【符号の説明】
【００９７】
１  撮像装置
２  交換レンズ
７  縦位置コントロールグリップ
１０  カメラボディ
３３  背面モニタ部
６２  メイン制御部
７０、３０３  グリップ部
７２、３０７  シャッターボタン
７３、９２  操作ダイアル
９０  外部モニタ
９１  上面表示パネル
３０６  モード設定ダイアル
３１６、３１６Ａ  光学ファインダ
３１６Ｂ  電子ビューファインダ
３１６ｐ、３１６ｑ  情報表示部
３３１  ＬＣＤ
３３２  タッチパネル
Ｂ１〜Ｂ５  (タッチボタンの)アイコン
Ｂｐ  追尾用ＡＦフレーム
ＣＶ、ＣＶａ〜ＣＶｆ  ガイド部
Ｅｔ  Ｌ字状領域
ＦＣ  顔面
Ｆｐ  親指
ＨＤ  右手
【図１】
2010134077.tif 000003
【図２】
2010134077.tif 000004
【図３】
2010134077.tif 000005
【図４】
2010134077.tif 000006
【図５】
2010134077.tif 000007
【図６】
2010134077.tif 000008
【図７】
2010134077.tif 000009
【図８】
2010134077.tif 000010
【図９】
2010134077.tif 000011
【図１０】
2010134077.tif 000012
【図１１】
2010134077.tif 000013
【図１２】
2010134077.tif 000014
【図１３】
2010134077.tif 000015
【図１４】
2010134077.tif 000016
【図１５】
2010134077.tif 000017
【図１６】
2010134077.tif 000018